(57)【要約】【課題】ヒートポンプ等を用いた浴室換気空調装置では、本体の構成部品に重量物が多く、本体は重量が重くサイズが大きくなり、設置時の施工性やメンテナンス性が悪いという課題があり、本体を軽量化、小型化し、設置施工性を向上させることを目的とする。【解決手段】循環用送風機と換気用送風機を収納した送風機部分７と、浴室３の空気を空調する循環風路および浴室３あるいは他室の空気を換気する換気風路２６を設けた本体部分６とを接離自在に設置し、本体部分６の循環風路に吸い込まれた浴室３の空気を送風機部分７に流入させ、循環用送風機から循環風路に送出して浴室３に吹き出す構成としたことにより、本体から送風機をなくして小型化、軽量化でき、設置施工性を向上させることができる。【選択図】図２
2010101590.tif 000002
【特許請求の範囲】
【請求項１】
浴室の空気を循環用送風機により循環して空調するとともに、前記浴室あるいは浴室以外の他室の空気を換気用送風機により換気する浴室換気空調装置において、前記循環用送風機および換気用送風機を収納した送風機部分と、前記浴室の空気を空調する循環風路および前記浴室あるいは前記他室の空気を換気する換気風路を設けた本体部分とを接離自在に設置し、前記本体部分の循環風路に吸い込まれた浴室の空気を前記送風機部分に流入させ、前記循環用送風機から前記循環風路に送出して前記浴室に吹き出す構成としたことを特徴とする浴室換気空調装置。
【請求項２】
本体部分は、浴室に開口した第一吸込口と送風機部分を連通する吸込側循環風路と、前記送風機部分と前記浴室に開口した本体吹出口を連通する吹出側循環風路と、前記浴室以外の他室に開口した少なくとも１個の排気口に連通する他室吸込口と前記送風機部分を連通する換気風路と、冷媒を圧縮する圧縮機と、前記吸込側循環風路中に配設され循環風と冷媒を熱交換させる第一熱交換器と、前記冷媒を膨張させる膨張機構と、前記換気風路中に配設され換気風と冷媒を熱交換させる第二熱交換器とを備え、前記圧縮機、前記第一熱交換器、前記膨張機構、前記第二熱交換器の順に冷媒が循環するように配管した冷媒回路を形成してなり、前記送風機部分は、前記吸込側循環風路を介して前記浴室の空気を吸い込む第一送風機と、前記換気風路を介して前記他室から空気を吸い込む第二送風機とを備え、前記第一送風機から前記本体部分の吹出側循環風路に送風するための第一吹出口と、第二送風機から屋外に排気するための第二吹出口とを形成してなり、前記本体部分と前記送風機部分とを別体に構成し、連接して設置することを特徴とする請求項１記載の浴室換気空調装置。
【請求項３】
送風機部分に浴室以外の他室へ空気を供給するための第三吹出口を設けるとともに第一吹出口を開閉できる第一吹出口開閉手段を設け、前記第一吹出口開閉手段による前記第一吹出口の閉鎖に連動して第一送風機の送風を前記第三吹出口に切り換える構成としたことを特徴とする請求項２記載の浴室換気空調装置。
【請求項４】
第一吹出口開閉手段に替えて、第一吹出口と第三吹出口を交互に開閉する吹出口切換手段Ａを設けたことを特徴とする請求項３記載の浴室換気空調装置。
【請求項５】
送風機部分に、第一送風機の吹出し方向を第二吹出口か第三吹出口に切り換え、この切り換えに連動して第二送風機の吹出し方向を前記第三吹出口か前記第二吹出口に切り換える吹出口切換手段Ｂを設けたことを特徴とする請求項４記載の浴室換気空調装置。
【請求項６】
換気風路内の他室吸込口と第二熱交換器の間に浴室へ開口する第二吸込口を設けるとともに第二吸込口を開閉する第二吸込口開閉手段を設け、第二吸込口開閉手段を開とすることに連動して、第二送風機の送風方向を第二吹出口に、第一送風機の送風方向を第三吹出口に切り換える構成としたことを特徴とする請求項５記載の浴室換気空調装置。
【請求項７】
他室吸込口を開閉する他室吸込口開閉手段を設け、前記他室吸込口開閉手段を閉とすることに連動して、第二送風機の送風方向を第二吹出口に、第一送風機の送風方向を第三吹出口に切り換える構成としたことを特徴とする請求項６記載の浴室換気空調装置。
【請求項８】
他室吸込口を開閉する他室吸込口開閉手段を設け、前記他室吸込口開閉手段を閉とすることに連動して、第二吸込口開閉手段を開とする構成としたことを特徴とする請求項６記載の浴室換気空調装置。
【請求項９】
他室吸込口を開閉する他室吸込口開閉手段と、換気風路内の前記他室吸込口と第二熱交換器の間に位置し浴室へ開口する第二吸込口と、前記第二熱交換器通過後の換気風路と第一熱交換器通過前の吸込側循環風路とを連通させる除湿風路と、前記除湿風路を開閉する除湿切換手段とを設け、前記除湿切換手段を開とすることに連動して、前記他室吸込口開閉手段を閉とするとともに吹出口切換手段Ａにて第一吹出口を開口する構成としたことを特徴とする請求項４記載の浴室換気空調装置。
【請求項１０】
第二吸込口を開閉する第二吸込口開閉手段を設け、前記第二吸込口開閉手段を閉とすることに連動して、他室吸込口開閉手段を開とし、除湿切換手段を開とし、第三吹出口を開とする構成としたことを特徴とする請求項９記載の浴室換気空調装置。
【請求項１１】
送風機部分に２４時間換気吸込口と、浴室以外の他室から前記２４時間換気吸込口に直接連通する２４時間換気風路と、前記２４時間換気風路を開閉する２４時間換気風路開閉手段とを設け、２４時間換気風路開閉手段を開とすることに連動して他室吸込口開閉手段を閉とする構成としたことを特徴とする請求項９または１０記載の浴室換気空調装置。
【請求項１２】
他室吸込口開閉手段および２４時間換気風路開閉手段に替えて、他室吸込口と２４時間換気風路を交互に開閉する換気風路切換手段を設けたことを特徴とする請求項１１記載の浴室換気空調装置。
【発明の詳細な説明】
【技術分野】
【０００１】
本発明は、ヒートポンプ等を利用して浴室などの居住空間の換気空調を行う換気空調装置に関する。
【背景技術】
【０００２】
従来よりヒートポンプ等を利用した浴室など居住空間の換気空調装置は、圧縮機、凝縮器および蒸発器などの熱交換器、減圧器等を含む冷凍サイクル部分と空調した空気を浴室などの居住空間に送風する循環ファンおよび循環ファンモータ、熱交換した熱を屋外へ排気するための換気ファンおよび換気ファンモータなどの送風機部分を、本体内に内蔵している（例えば、特許文献１参照）。
【特許文献１】特開平５−２３１６７５号公報
【発明の開示】
【発明が解決しようとする課題】
【０００３】
このような従来の浴室換気空調装置では、圧縮機、熱交換器、減圧機、循環ファンモータ、換気ファンモータ、ドレンポンプ等、各構成部品に重量物が多いため本体の重量が重くなるとともに本体のサイズが大きくなるという課題がある。
【０００４】
また、本体の重量が重く、本体のサイズが大きくなることにより設置時の施工性や点検、修理時等のメンテナンス性が悪くなるという課題がある。
【０００５】
また、本体サイズが大きくなることにより設置施工時に本体取付のために浴室天井面に開口する本体取付用の開口寸法が大きくなるという課題がある。
【０００６】
本発明は、このような従来の課題を解決するものであり、本体を軽量化、小型化し、本体設置施工時の施工性を向上させ、また本体を小型化することにより設置施工時に浴室天井面に開口する本体取付用の開口寸法を小さくすることができる浴室換気空調装置を提供することを目的とする。
【課題を解決するための手段】
【０００７】
本発明の浴室換気空調装置は、上記目的を達成するために、浴室の空気を循環用送風機により循環して空調するとともに、前記浴室あるいは浴室以外の他室の空気を換気用送風機により換気する浴室換気空調装置において、前記循環用送風機および換気用送風機を収納した送風機部分と、前記浴室の空気を空調する循環風路および前記浴室あるいは前記他室の空気を換気する換気風路を設けた本体部分とを接離自在に設置し、前記本体部分の循環風路に吸い込まれた浴室の空気を前記送風機部分に流入させ、前記循環用送風機から前記循環風路に送出して前記浴室に吹き出す構成としたものである。
【０００８】
また、他の手段は、本体部分は、浴室に開口した第一吸込口と送風機部分を連通する吸込側循環風路と、前記送風機部分と前記浴室に開口した本体吹出口を連通する吹出側循環風路と、前記浴室以外の他室に開口した少なくとも１個の排気口に連通する他室吸込口と前記送風機部分を連通する換気風路と、冷媒を圧縮する圧縮機と、前記吸込側循環風路中に配設され循環風と冷媒を熱交換させる第一熱交換器と、前記冷媒を膨張させる膨張機構と、前記換気風路中に配設され換気風と冷媒を熱交換させる第二熱交換器とを備え、前記圧縮機、前記第一熱交換器、前記膨張機構、前記第二熱交換器の順に冷媒が循環するように配管した冷媒回路を形成してなり、前記送風機部分は、前記吸込側循環風路を介して前記浴室の空気を吸い込む第一送風機と、前記換気風路を介して前記他室から空気を吸い込む第二送風機とを備え、前記第一送風機から前記本体部分の吹出側循環風路に送風するための第一吹出口と、第二送風機から屋外に排気するための第二吹出口とを形成してなり、前記本体部分と前記送風機部分とを別体に構成し、連接して設置するものである。
【０００９】
また、他の手段は、送風機部分に浴室以外の他室へ空気を供給するための第三吹出口を設けるとともに第一吹出口を開閉できる第一吹出口開閉手段を設け、前記第一吹出口開閉手段による前記第一吹出口の閉鎖に連動して第一送風機の送風を前記第三吹出口に切り換える構成としたものである。
【００１０】
また、他の手段は、第一吹出口開閉手段に替えて、第一吹出口と第三吹出口を交互に開閉する吹出口切換手段Ａを設けたものである。
【００１１】
また、他の手段は、送風機部分に、第一送風機の吹出し方向を第二吹出口か第三吹出口に切り換え、この切り換えに連動して第二送風機の吹出し方向を前記第三吹出口か前記第二吹出口に切り換える吹出口切換手段Ｂを設けたものである。
【００１２】
また、他の手段は、換気風路内の他室吸込口と第二熱交換器の間に浴室へ開口する第二吸込口を設けるとともに第二吸込口を開閉する第二吸込口開閉手段を設け、第二吸込口開閉手段を開とすることに連動して、第二送風機の送風方向を第二吹出口に、第一送風機の送風方向を第三吹出口に切り換える構成としたものである。
【００１３】
また、他の手段は、他室吸込口を開閉する他室吸込口開閉手段を設け、前記他室吸込口開閉手段を閉とすることに連動して、第二送風機の送風方向を第二吹出口に、第一送風機の送風方向を第三吹出口に切り換える構成としたものである。
【００１４】
また、他の手段は、他室吸込口を開閉する他室吸込口開閉手段を設け、前記他室吸込口開閉手段を閉とすることに連動して、第二吸込口開閉手段を開とする構成としたものである。
【００１５】
また、他の手段は、他室吸込口を開閉する他室吸込口開閉手段と、換気風路内の前記他室吸込口と第二熱交換器の間に位置し浴室へ開口する第二吸込口と、前記第二熱交換器通過後の換気風路と第一熱交換器通過前の吸込側循環風路とを連通させる除湿風路と、前記除湿風路を開閉する除湿切換手段とを設け、前記除湿切換手段を開とすることに連動して、前記他室吸込口開閉手段を閉とするとともに吹出口切換手段Ａにて第一吹出口を開口する構成としたものである。
【００１６】
また、他の手段は、第二吸込口を開閉する第二吸込口開閉手段を設け、前記第二吸込口開閉手段を閉とすることに連動して、他室吸込口開閉手段を開とし、除湿切換手段を開とし、第三吹出口を開とする構成としたものである。
【００１７】
また、他の手段は、送風機部分に２４時間換気吸込口と、浴室以外の他室から前記２４時間換気吸込口に直接連通する２４時間換気風路と、前記２４時間換気風路を開閉する２４時間換気風路開閉手段とを設け、２４時間換気風路開閉手段を開とすることに連動して他室吸込口開閉手段を閉とする構成としたものである。
【００１８】
また、他の手段は、他室吸込口開閉手段および２４時間換気風路開閉手段に替えて、他室吸込口と２４時間換気風路を交互に開閉する換気風路切換手段を設けたものである。
【発明の効果】
【００１９】
本発明によれば、循環用送風機および換気用送風機を収納した送風機部分と、浴室の空気を空調する循環風路および浴室あるいは他室の空気を換気する換気風路を設けた本体部分とを接離自在に設置し、本体部分の循環風路に吸い込まれた浴室の空気を送風機部分に流入させ、循環用送風機から循環風路に送出して浴室に吹き出す構成としたことにより、本体部分から循環ファンおよび循環ファンモータ、換気ファンおよび換気ファンモータなどの送風機部分をなくすことができ、本体部分を軽量化および小型化できるため本体の設置施工時の施工性を向上することができるとともに本体部分を小型化することができることにより設置施工時に浴室天井面に開口する本体取付用の開口寸法を小さくすることができるという効果のある浴室換気空調装置を提供することができる。
【００２０】
また、本体部分は、浴室に開口した第一吸込口と送風機部分を連通する吸込側循環風路と、送風機部分と浴室に開口した本体吹出口を連通する吹出側循環風路と、浴室以外の他室に開口した少なくとも１個の排気口に連通する他室吸込口と送風機部分を連通する換気風路と、冷媒を圧縮する圧縮機と、吸込側循環風路中に配設され循環風と冷媒を熱交換させる第一熱交換器と、冷媒を膨張させる膨張機構と、換気風路中に配設され換気風と冷媒を熱交換させる第二熱交換器とを備え、圧縮機、第一熱交換器、膨張機構、第二熱交換器の順に冷媒が循環するように配管した冷媒回路を形成してなり、送風機部分は、吸込側循環風路を介して浴室の空気を吸い込む第一送風機と、換気風路を介して他室から空気を吸い込む第二送風機とを備え、第一送風機から本体部分の吹出側循環風路に送風するための第一吹出口と、第二送風機から屋外に排気するための第二吹出口とを形成してなり、本体部分と送風機部分とを別体に構成し、連接して設置することにより、圧縮機、熱交換器、膨張機構等に加え循環用および換気用の第一および第二送風機を備え重量が大きい浴室換気空調装置の本体部分から送風機をなくすことができ、本体部分を小型化、軽量化できることにより施工性を向上することができる。
【００２１】
また、送風機部分に浴室以外の他室へ空気を供給するための第三吹出口を設けるとともに第一吹出口を開閉できる第一吹出口開閉手段を設け、第一吹出口開閉手段による第一吹出口の閉鎖に連動して第一送風機の送風を第三吹出口に切り換える構成としたことにより、第一熱交換器により暖められた空気を浴室以外の他室へ供給することができ、他室を暖房することができることとなる。
【００２２】
また、第一吹出口開閉手段に替えて、第一吹出口と第三吹出口を交互に開閉する吹出口切換手段Ａを設けたことにより、第一熱交換器により暖められた空気を浴室内に供給するか浴室以外の他室へ供給するかを選択することができる。
【００２３】
また、送風機部分に、第一送風機の吹出し方向を第二吹出口か第三吹出口に切り換え、この切り換えに連動して第二送風機の吹出し方向を第三吹出口か第二吹出口に切り換える吹出口切換手段Ｂを設けたことにより、第二熱交換器により冷やされた空気を他室に供給することができ、四方弁を用いることなく他室を冷房することができ、四方弁を用いないことにより第一熱交換器側にドレンパンおよびドレンポンプを設置する必要がないため、本体サイズを小さくすることができる。
【００２４】
また、換気風路内の他室吸込口と第二熱交換器の間に浴室へ開口する第二吸込口を設けるとともに第二吸込口を開閉する第二吸込口開閉手段を設け、第二吸込口開閉手段を開とすることに連動して、第二送風機の送風方向を第二吹出口に、第一送風機の送風方向を第三吹出口に切り換える構成としたことにより、第二熱交換器により浴室以外の空気だけでなく浴室内の空気からも熱交換できるとともに、浴室を換気しながら浴室以外の他室を暖房することができる。
【００２５】
また、他室吸込口を開閉する他室吸込口開閉手段を設け、他室吸込口開閉手段を閉とすることに連動して、第二送風機の送風方向を第二吹出口に、第一送風機の送風方向を第三吹出口に切り換える構成としたことにより、浴室以外の他室を換気することなく暖房することができるため暖房時の熱ロスを低減でき効率よく暖房できる。
【００２６】
また、他室吸込口を開閉する他室吸込口開閉手段を設け、他室吸込口開閉手段を閉とすることに連動して、第二吸込口開閉手段を開とする構成としたことにより、浴室以外の他室を換気することなく冷房することができるため冷房時の熱ロスを低減でき効率よく冷房できる。
【００２７】
また、他室吸込口を開閉する他室吸込口開閉手段と、換気風路内の他室吸込口と第二熱交換器の間に位置し浴室へ開口する第二吸込口と、第二熱交換器通過後の換気風路と第一熱交換器通過前の吸込側循環風路とを連通させる除湿風路と、除湿風路を開閉する除湿切換手段とを設け、除湿切換手段を開とすることに連動して、他室吸込口開閉手段を閉とするとともに吹出口切換手段Ａにて第一吹出口を開口する構成としたことにより、浴室内を再熱除湿することができる。
【００２８】
また、第二吸込口を開閉する第二吸込口開閉手段を設け、第二吸込口開閉手段を閉とすることに連動して、他室吸込口開閉手段を開とし、除湿切換手段を開とし、第三吹出口を開とする構成としたことにより、浴室以外の他室を再熱除湿することができる。
【００２９】
また、送風機部分に２４時間換気吸込口と、浴室以外の他室から前記２４時間換気吸込口に直接連通する２４時間換気風路と、２４時間換気風路を開閉する２４時間換気風路開閉手段とを設け、２４時間換気風路開閉手段を開とすることに連動して他室吸込口開閉手段を閉とする構成としたことにより、浴室以外の他室の空気を第二熱交換器を通すことなく圧力損失の少ない２４時間換気風路を通して換気することができるという効果を奏するとともに、再熱除湿運転時においても浴室以外の空間から換気することが可能となる。
【００３０】
また、他室吸込口開閉手段および２４時間換気風路開閉手段に替えて、他室吸込口と２４時間換気風路を交互に開閉する換気風路切換手段を設けたことにより、他室吸込口開閉手段と２４時間換気風路開閉手段の２つの開閉手段を１つにすることができる。
【発明を実施するための最良の形態】
【００３１】
本発明の請求項１記載の浴室換気空調装置は、循環用送風機および換気用送風機を収納した送風機部分と、浴室の空気を空調する循環風路および前記浴室あるいは前記浴室以外の他室の空気を換気する換気風路を設けた本体部分とを接離自在に設置し、前記本体部分の循環風路に吸い込まれた浴室の空気を前記送風機部分に流入させ、前記循環用送風機から前記循環風路に送出して前記浴室に吹き出す構成としたものであり、循環風を本体部分から一度送風機部分側へ導いた後再度本体部分に戻して浴室内に吹き出すことができる風路を構成することにより、循環用送風機および換気用送風機を送風機部分に集約して配置することでができるという作用を有する。
【００３２】
また、請求項２記載の浴室換気空調装置は、本体部分は、浴室に開口した第一吸込口と送風機部分を連通する吸込側循環風路と、前記送風機部分と前記浴室に開口した本体吹出口を連通する吹出側循環風路と、前記浴室以外の他室に開口した少なくとも１個の排気口に連通する他室吸込口と前記送風機部分を連通する換気風路と、冷媒を圧縮する圧縮機と、前記吸込側循環風路中に配設され循環風と冷媒を熱交換させる第一熱交換器と、前記冷媒を膨張させる膨張機構と、前記換気風路中に配設され換気風と冷媒を熱交換させる第二熱交換器とを備え、前記圧縮機、前記第一熱交換器、前記膨張機構、前記第二熱交換器の順に冷媒が循環するように配管した冷媒回路を形成してなり、前記送風機部分は、前記吸込側循環風路を介して前記浴室の空気を吸い込む第一送風機と、前記換気風路を介して前記他室から空気を吸い込む第二送風機とを備え、前記第一送風機から前記本体部分の吹出側循環風路に送風するための第一吹出口と、第二送風機から屋外に排気するための第二吹出口とを形成してなり、前記本体部分と前記送風機部分とを別体に構成し、連接して設置するとしたものであり、浴室以外の他室から吸入した空気を他室吸込口、換気風路および第二熱交換器、第二送風機、第二吹出口の順に通過させることにより、冷媒が吸熱して冷却された空気が屋外に排出され、浴室に開口された第一吸込口より吸入した空気を吸込側循環風路および第一熱交換器、第一送風機、第一吹出口、吹出側循環風路、本体吹出口の順に通過させることにより冷媒が放熱し浴室内へ暖房空気が供給される浴室換気空調装置において、循環風を本体部分から一度送風機部分側へ導いた後再度本体部分に戻して浴室内に吹き出すことができる風路を構成することにより、第一送風機および第二送風機を送風機部分に集約して配置することでができる。
【００３３】
また、請求項３記載の浴室換気空調装置は、送風機部分に浴室以外の他室へ空気を供給するための第三吹出口を設けるとともに第一吹出口を開閉できる第一吹出口開閉手段を設け、前記第一吹出口開閉手段による前記第一吹出口の閉鎖に連動して第一送風機の送風を前記第三吹出口に切り換える構成としたものであり、他室から吸入した空気を他室吸込口、換気風路および第二熱交換器、第二送風機、第二吹出口の順に通過させることにより冷媒が吸熱し冷却された空気が屋外に排出され、第一吹出口開閉手段によって第一吹出口を閉鎖し、浴室に開口された第一吸込口から吸入した空気を吸込側循環風路および第一熱交換器、第一送風機、第三吹出口の順に通過させることにより、冷媒が放熱し他室へ暖房空気が供給されることとなる。
【００３４】
また、請求項４記載の浴室換気空調装置は、第一吹出口開閉手段に替えて、第一吹出口と第三吹出口を交互に開閉する吹出口切換手段Ａを設けたものであり、第一送風機による空気の供給を浴室もしくは浴室以外の他室へ任意に切り換えることができる。
【００３５】
また、請求項５記載の浴室換気空調装置は、送風機部分に、第一送風機の吹出し方向を第二吹出口か第三吹出口に切り換え、この切り換えに連動して第二送風機の吹出し方向を前記第三吹出口か前記第二吹出口に切り換える吹出口切換手段Ｂを設けたものであり、送風機部分において第一送風機の吹出し方向を第二吹出口にした場合は第二送風機の吹出し方向は第三吹出口となり、他室から吸入した空気は他室吸込口、換気風路および第二熱交換器、第二送風機、第三吹出口の順に通過し、冷媒が吸熱し冷却された空気が他室に供給され、浴室に開口された第一吸込口より吸入した空気は吸込側循環風路および第一熱交換器、第一送風機、第二吹出口の順に通過し、冷媒が放熱し屋外に排出されることとなる。
【００３６】
また、請求項６記載の浴室換気空調装置は、換気風路内の他室吸込口と第二熱交換器の間に浴室へ開口する第二吸込口を設けるとともに第二吸込口を開閉する第二吸込口開閉手段を設け、第二吸込口開閉手段を開とすることに連動して、第二送風機の送風方向を第二吹出口に、第一送風機の送風方向を第三吹出口に切り換える構成としたものであり、第二吸込口開閉手段を開とすることにより、浴室に開口された第二吸込口から吸入した空気および他室吸込口より吸入した他室の空気は換気風路および第二熱交換器、第二送風機、第二吹出口の順に通過し、冷媒が吸熱して冷却された空気が屋外に排出され、浴室に開口された第一吸込口から吸入した空気は吸込側循環風路および第一熱交換器、第一送風機、第三吹出口の順に通過し、冷媒が放熱して他室へ暖房空気が供給され、脱衣室あるいはトイレ等の他室のみならず浴室の空気も換気風路に吸入することができることとなる。
【００３７】
また、請求項７記載の浴室換気空調装置は、他室吸込口を開閉する他室吸込口開閉手段を設け、前記他室吸込口開閉手段を閉とすることに連動して、第二送風機の送風方向を第二吹出口に、第一送風機の送風方向を第三吹出口に切り換える構成としたものであり、他室吸込口開閉手段を閉とすることにより、他室からの吸入を閉止するとともに浴室に開口された第二吸込口から吸入した空気は換気風路および第二熱交換器、第二送風機、第二吹出口の順に通過し、冷媒が吸熱して冷却された空気が屋外に排出され、浴室に開口された第一吸込口から吸入した空気は吸込側循環風路および第一熱交換器、第一送風機、第三吹出口の順に通過し、冷媒が放熱し浴室以外の空間へ暖房空気が供給されることとなり、他室の換気をすることなく他室を暖房することができることとなる。
【００３８】
また、請求項８記載の浴室換気空調装置は、他室吸込口を開閉する他室吸込口開閉手段を設け、前記他室吸込口開閉手段を閉とすることに連動して、第二吸込口開閉手段を開とする構成としたものであり、他室吸込口開閉手段を閉とすることにより、他室からの吸入を閉止するとともに浴室に開口された第二吸込口より吸入した空気は換気風路および第二熱交換器、第二送風機、第三吹出口の順に通過し、冷媒が吸熱し冷却された空気が他室に供給され、浴室に開口された第一吸込口より吸入した空気は吸込側循環風路および第一熱交換器、第一送風機、第二吹出口の順に通過することにより冷媒が放熱し屋外に排出されることとなり、他室の換気をすることなく他室を冷房することができる。
【００３９】
また、請求項９記載の浴室換気空調装置は、他室吸込口を開閉する他室吸込口開閉手段と、換気風路内の前記他室吸込口と第二熱交換器の間に位置し浴室へ開口する第二吸込口と、前記第二熱交換器通過後の換気風路と第一熱交換器通過前の吸込側循環風路とを連通させる除湿風路と、前記除湿風路を開閉する除湿切換手段とを設け、前記除湿切換手段を開とすることに連動して、前記他室吸込口開閉手段を閉とするとともに吹出口切換手段Ａにて第一吹出口を開口する構成としたものであり、他室からの吸入を閉止するとともに浴室に開口された第二吸込口から吸入した空気は換気風路および第二熱交換器、除湿風路、吸込側循環風路および第一熱交換器、第一送風機、吹出側循環風路、本体吹出口の順に通過し、浴室内の空気を第二熱交換器にて除湿した後、第一熱交換器にて再熱して浴室内に再供給することで浴室内を除湿することとなり、浴室内の空気を第二熱交換器、第一熱交換器の両方で熱交換して再度浴室へ供給できることとなる。
【００４０】
また、請求項１０記載の浴室換気空調装置は、第二吸込口を開閉する第二吸込口開閉手段を設け、前記第二吸込口開閉手段を閉とすることに連動して、他室吸込口開閉手段を開とし、除湿切換手段を開とし、第三吹出口を開とする構成としたものであり、第二吸込口開閉手段を閉とすることにより浴室からの吸入を閉止するとともに、他室から吸入した空気は他室吸込口、換気風路および第二熱交換器、除湿風路、吸込側循環風路および第一熱交換器、第一送風機、第三吹出口の順に通過し、他室の空気を第二熱交換器にて除湿した後、第一熱交換器にて再熱して他室に再供給することで他室を除湿することとなり、他室の空気を第二熱交換器、第一熱交換器の両方で熱交換して再度浴室以外の空間へ供給できることとなる。
【００４１】
また、請求項１１記載の浴室換気空調装置は、送風機部分に２４時間換気吸込口と、浴室以外の他室から前記２４時間換気吸込口に直接連通する２４時間換気風路と、前記２４時間換気風路を開閉する２４時間換気風路開閉手段とを設け、２４時間換気風路開閉手段を開とすることに連動して他室吸込口開閉手段を閉とする構成としたものであり、２４時間換気風路開閉手段を開、他室吸込口開閉手段を閉とすることにより、他室から吸入した空気は２４時間換気風路、２４時間換気吸込口、第二送風機、第二吹出口の順に通過し、第二熱交換器を通過させることなく換気できることとなり、他室の空気を第二送風機で直接屋外に排気できる。
【００４２】
また、請求項１２記載の浴室換気空調装置は、他室吸込口開閉手段および２４時間換気風路開閉手段に替えて、他室吸込口と２４時間換気風路を交互に開閉する換気風路切換手段を設けたものであり、他室吸込口と２４時間換気風路の風路切換を１つの風路切換手段で可能となる。
【００４３】
以下、本発明の実施の形態について、図１〜図４を参照しながら説明する。
【００４４】
（実施の形態１）
図１は本発明の実施の形態１における浴室換気空調装置が設置されている居住空間の見取り図である。図１において、屋内の居住空間１は、リビング２、浴室３、脱衣室４あるいはトイレ５などに区画されており、浴室３の天井裏には、浴室換気空調装置の本体部分６と送風機部分７が設置されている。この本体部分６には、脱衣室４の天井に開口した排気口としての第一排気口８と本体部分６を連通する第一排気ダクト９及びトイレ５の天井に開口した第二排気口１０と本体部分６とを連通する第二排気ダクト１１が接続されている。また送風機部分７には本体部分６と屋外を連通する第三排気ダクト１２、脱衣室４の天井に開口した吹出口としての脱衣室吹出口１３と本体部分６を連通する第一吹出ダクト１４が接続されている。
【００４５】
また、送風機部分７内部には第一送風機１５および第二送風機１６が配設されており、第一送風機１５を運転すると浴室３内の空気は本体部分６を介して第一送風機１５に吸込まれ、再度本体部分６へ送出された後に浴室３内へ吹出される。また、屋外と送風機部分７を連通する第三排気ダクト１２は第二送風機１６の吹出側に接続され、脱衣室４と本体部分６を連通する第一排気ダクト９およびトイレ５と本体部分６を連通する第二排気ダクト１１は本体部分６の風路を介して送風機部分７の第二送風機１６の吸込側に接続されている。したがって第二送風機１６を運転すると、第一排気口８および第二排気口１０から第一排気ダクト９および第二排気ダクト１１を通じて脱衣室４およびトイレ５の空気が第二送風機１６に吸い込まれ、第三排気ダクト１２を通じて屋外に排出される。
【００４６】
そして第二送風機１６を連続運転すると居住空間１内が負圧になるため、リビング２の屋外に面した壁に開口した給気口１７から新鮮な外気が給気されて居住空間１が換気されることになる。この換気運転は建物の気密性が高い場合は連続して行う（２４時間換気をする）必要があるため、第二送風機１６は所定の換気量、例えば一時間で居住空間１の約半分の容積に相当する換気量を確保するように連続運転を行う。
【００４７】
また、リビング２には部屋の温度をコントロールするための空調機１８が設置されており、夏場は冷房運転、冬場は暖房運転を行って室温を適正に保持している。しかし前述したように年間を通じて連続した換気運転を行っていると、夏場はリビング２において空調機１８で冷房された低温の空気、冬場は空調機１８で暖房された高温の空気が脱衣室４のドア１９およびトイレ５のドア２０のガラリやアンダーカット部分を通じて第一排気口８および第二排気口１０に吸い込まれ、浴室換気空調装置の本体部分６および送風機部分７を介して屋外に排出されることになる。
【００４８】
図２は、浴室３の天井裏に設置された浴室換気空調装置の基本となる風路構成図および冷媒回路図である。
【００４９】
本体部分６は浴室３に開口した第一吸込口２１と送風機部分７を連通する吸込側循環風路２２と、送風機部分７と浴室３に開口した本体吹出口２３を連通する吹出側循環風路２４と、浴室３以外の他室、例えば脱衣室４あるいはトイレ５に開口した第一排気口８または第二排気口１０に連通する他室吸込口２５と送風機部分７を連通する換気風路２６と、冷媒を圧縮する圧縮機２７と、吸込側循環風路２２中に配設され循環風と冷媒を熱交換させる第一熱交換器２８と、冷媒を膨張させる膨張機構２９と、換気風路２６中に配設され換気風と冷媒を熱交換させる第二熱交換器３０とを備え、圧縮機２７、第一熱交換器２８、膨張機構２９、第二熱交換器３０の順に冷媒が循環するように配管した冷媒回路を形成してなり、送風機部分７は、吸込側循環風路２２を介して浴室３の空気を吸い込む第一送風機１５と、換気風路２６を介して他室、例えば脱衣室４やトイレ５から空気を吸い込む第二送風機１６とを備え、第一送風機１５から本体部分６の吹出側循環風路２４に送風するための第一吹出口３１と、第二送風機１６から屋外に排気するための第二吹出口３２とを形成してなり、本体部分６と送風機部分７とを別体に構成し、連接して設置する構成となっている。
【００５０】
上記構成により、循環風を本体部分６から一度送風機部分７側へ導いた後再度本体部分６に戻して浴室３内に吹き出すことができる風路を構成でき、第一送風機１５および第二送風機１６を送風機部分７に集約して配置することでができる。
【００５１】
また、浴室３以外の他室、例えば脱衣室４やトイレ５から吸入した空気を他室吸込口２５、換気風路２６および第二熱交換器３０、第二送風機１６、第二吹出口３２の順に通過させることにより、冷媒が吸熱して冷却された空気が屋外に排出され、浴室３に開口された第一吸込口２１より吸入した空気を吸込側循環風路２２および第一熱交換器２８、第一送風機１５、第一吹出口３１、吹出側循環風路２４、本体吹出口２３の順に通過させることにより冷媒が放熱し浴室３内へ暖房空気を供給することができる。
【００５２】
このように本発明の実施の形態１の浴室換気空調装置によれば、大きく重い第一送風機と第二送風機を本体部分６から別体にすることができるので、本体部分を小型化、軽量化できて設置施工性が向上し、また、本体部分６を浴室３の天井裏に挿入して取り付けるために天井面に設ける開口の寸法を小さくすることができる。
【００５３】
なお、以上説明した内容は、発明を実施するための一形態についてのみ説明したものであり、本発明は上記の実施の形態に限定されるものではない。
【００５４】
例えば、本実施の形態では他室の例として脱衣室とトイレを記載したが、居住空間内であればいずれの空間を他室としてもよく、その作用効果に差異を生じない。
【００５５】
また、図１においては脱衣室に設けた第一排気口と本体部分とを連通させる第一排気ダクトおよびトイレに設けた第二排気口と本体部分とを連通させる第二排気ダクトを各々本体部分に接続した構成としているが、二本のダクトを一本にまとめて本体部分の他室吸込口に接続する構成や本体部分側の他室吸込口部分に二本のダクトを接続できるアダプターを取り付ける構成としてもよく、その作用効果に差異を生じない。
【００５６】
（実施の形態２）
本発明の実施の形態２の浴室換気空調装置は、図３に示すように、上記実施の形態１の浴室換気空調装置の風路を切り換え可能としたものである。
【００５７】
送風機部分７に浴室３以外の他室、例えば脱衣室４へ空気を供給するための第三吹出口３３を設けるとともに、第一吹出口３１を開閉できる第一吹出口開閉手段３４を設け、第一吹出口開閉手段３４による第一吹出口３１の閉鎖に連動して第一送風機１５の送風を第三吹出口３３に切り換えることができ、他室、例えば脱衣室４から吸入した空気を他室吸込口２５、換気風路２６および第二熱交換器３０、第二送風機１６、第二吹出口３２の順に通過させることにより、冷媒が吸熱し冷却された空気が屋外に排出され、第一吹出口開閉手段３４によって第一吹出口３１を閉鎖し、浴室３に開口された第一吸込口２１から吸入した空気を吸込側循環風路２２および第一熱交換器２８、第一送風機１５、第三吹出口３３の順に通過させることにより、冷媒が放熱して脱衣室４へ暖房空気が供給されることとなる。
【００５８】
また、送風機部分７に、第一送風機１５の吹出し方向を第二吹出口３２か第三吹出口３３に切り換えることに連動して第二送風機１６の吹出し方向を第三吹出口３３か第二吹出口３２に切り換える吹出口切換手段Ｂ３６を設けており、送風機部分７において第一送風機１５の吹出し方向を第二吹出口３２にした場合は第二送風機１６の吹出し方向は第三吹出口３３となり、脱衣室４から吸入した空気は他室吸込口２５、換気風路２６および第二熱交換器３０、第二送風機１６、第三吹出口３３の順に通過し、冷媒が吸熱し冷却された空気が脱衣室４に供給され、浴室３に開口された第一吸込口２１より吸入した空気は吸込側循環風路２２および第一熱交換器２８、第一送風機１５、第二吹出口３２の順に通過し、冷媒が放熱し屋外に排出されることとなる。
【００５９】
また、換気風路２６内の他室吸込口２５と第二熱交換器３０の間に浴室３へ開口する第二吸込口３７を設けるとともに、第二吸込口３７を開閉する第二吸込口開閉手段３８を設け、第二吸込口開閉手段３８を開とすることに連動して、第二送風機１６の送風方向を第二吹出口３２に、第一送風機１５の送風方向を第三吹出口３３に切り換える構成としており、第二吸込口開閉手段３８を開とすることにより、浴室３に開口された第二吸込口３７から吸入した空気および他室吸込口２５より吸入した他室、脱衣室４の空気は換気風路２６および第二熱交換器３０、第二送風機１６、第二吹出口３２の順に通過し、冷媒が吸熱して冷却された空気が屋外に排出され、浴室３に開口された第一吸込口２１から吸入した空気は吸込側循環風路２２および第一熱交換器２８、第一送風機１５、第三吹出口３３の順に通過し、冷媒が放熱して脱衣室４へ暖房空気が供給され、他室である脱衣室４のみならず浴室３の空気も換気風路２６に吸入することができることとなる。
【００６０】
また、他室吸込口２５を開閉する他室吸込口開閉手段３９を設け、前記他室吸込口開閉手段３９を閉とすることに連動して第二吸込口開閉手段３８を開とし、第二送風機１６の送風方向を第二吹出口３２に、第一送風機１５の送風方向を第三吹出口３３に切り換える構成としたものであり、他室吸込口開閉手段３９を閉とすることにより、他室からの吸入を閉止するとともに浴室３に開口された第二吸込口３７から吸入した空気は換気風路２６および第二熱交換器３０、第二送風機１６、第二吹出口３２の順に通過し、冷媒が吸熱して冷却された空気が屋外に排出され、浴室３に開口された第一吸込口２１から吸入した空気は吸込側循環風路２２および第一熱交換器２８、第一送風機１５、第三吹出口３３の順に通過し、冷媒が放熱し浴室３以外の空間へ暖房空気が供給されることとなり、他室である脱衣室４の換気をすることなく脱衣室４を暖房することができることとなる。
【００６１】
また、他室吸込口２５を開閉する他室吸込口開閉手段３９を設け、他室吸込口開閉手段３９を閉とすることに連動して第二吸込口開閉手段３８を開とし、他室吸込口開閉手段３９を閉とすることにより、他室からの吸入を閉止するとともに浴室３に開口された第二吸込口３７より吸入した空気は換気風路２６および第二熱交換器３０、第二送風機１６、第三吹出口３３の順に通過し、冷媒が吸熱し冷却された空気が脱衣室４に供給され、浴室３に開口された第一吸込口２１より吸入した空気は吸込側循環風路２２および第一熱交換器２８、第一送風機１５、第二吹出口３２の順に通過することにより冷媒が放熱し屋外に排出されることとなり、脱衣室４の換気をすることなく脱衣室４を冷房することができる。
【００６２】
また、第二熱交換器３０通過後の換気風路２６と第一熱交換器２８通過前の吸込側循環風路２２とを連通させる除湿風路４０と、除湿風路４０を開閉する除湿切換手段４１とを設け、除湿切換手段４１を開とすることに連動して、他室吸込口開閉手段３９を閉とするとともに、第一吹出口３１を開とし第三吹出口３３を閉とする構成としており、他室からの吸入を閉止するとともに浴室３に開口された第二吸込口３７から吸入した空気は換気風路２６および第二熱交換器３０、除湿風路４０、吸込側循環風路２２および第一熱交換器２８、第一送風機１５、吹出側循環風路２４、本体吹出口２３の順に通過し、浴室３内の空気を第二熱交換器３０にて除湿した後、第一熱交換器２８にて再熱して浴室３内に再供給することで浴室３内を除湿することとなり、浴室３内の空気を第二熱交換器３０、第一熱交換器２８の両方で熱交換して再度浴室３へ供給できることとなる。
【００６３】
また、第二吸込口３７を開閉する第二吸込口開閉手段３８を閉とすることに連動して、他室吸込口開閉手段３９を開とするとともに除湿切換手段４１を開とし、第一吹出口３１を閉とし第三吹出口３３を開とする構成としており、第二吸込口開閉手段３８を閉とすることにより浴室３からの吸入を閉止するとともに、脱衣室４から吸入した空気は他室吸込口２５、換気風路２６および第二熱交換器３０、除湿風路４０、吸込側循環風路２２および第一熱交換器２８、第一送風機１５、第三吹出口３３の順に通過し、脱衣室４の空気を第二熱交換器３０にて除湿した後、第一熱交換器２８にて再熱して脱衣室４に再供給することで脱衣室４を除湿することとなり、他室である脱衣室４の空気を第二熱交換器３０、第一熱交換器２８の両方で熱交換して再度浴室３以外の空間へ供給できることとなる。
【００６４】
また、送風機部分７に２４時間換気吸込口４２と、浴室３以外の他室、例えば脱衣室４から２４時間換気吸込口４２に直接連通する２４時間換気風路４３と、２４時間換気風路４３を開閉する２４時間換気風路開閉手段４４とを設け、２４時間換気風路開閉手段４４を開とすることに連動して他室吸込口開閉手段３９を閉とすることにより、脱衣室４から吸入した空気は２４時間換気風路４３、２４時間換気吸込口４２、第二送風機１６、第二吹出口３２の順に通過し、第二熱交換器３０を通過させることなく換気できることとなり、脱衣室４の空気を第二送風機１６で直接屋外に排気できる。
【００６５】
このように本発明の実施の形態２の浴室換気空調装置によれば、本体部分６を小型化、軽量化することができることにに加えて、浴室の暖房ができることはもとより脱衣室などの他室の暖房ができるようになる。
【００６６】
また、四方弁を用いることなく風路の切換のみで脱衣室などの他室の冷房ができるようになる。
【００６７】
また、四方弁を用いることなく風路の切換のみで冷房をおこなうことができることによりドレンパンやドレンポンプの設置は第二熱交換器にのみ施せばよく、第一熱交換器へのドレンパンやドレンポンプの設置は必要ない。
【００６８】
また、浴室や他室の空調をおこなう際に空調対象空間を換気しながら空調することも換気をせずに空調することもできるようになる。
【００６９】
また、浴室や他室を再熱除湿することができるようになる。
【００７０】
また、２４時間換気風路の設置により再熱除湿運転時においても他室より換気することが可能となるとともに、第二熱交換器を通過させずに換気することが可能となるため熱交換器による圧力損失を受けることなく効率的に換気することができるようになる。
【００７１】
（実施の形態３）
本発明の実施の形態３の浴室換気空調装置は、図４に示すように、上記実施の形態２の第一吹出口開閉手段３４に替えて、第一吹出口３１と第三吹出口３３を交互に開閉する吹出口切換手段Ａ３５を設け、また、上記実施の形態２の他室吸込口開閉手段３９および２４時間換気風路開閉手段４４に替えて、他室吸込口２５と２４時間換気風路４３を交互に開閉する換気風路切換手段４５を設けたものである。
【００７２】
上記構成により、第一送風機１５による空気の供給を浴室３もしくは浴室３以外の他室である例えば脱衣室４やトイレ５へ任意に切り換えることができ、また、他室吸込口２５と２４時間換気風路４３の風路切換を１つの風路切換手段で可能となる。
【産業上の利用可能性】
【００７３】
本発明は、送風機部分を本体部分と接離自在に設置できる構成とすることにより設置施工性が向上し、天井裏等に設置する大型で重量のある空調装置に広く適用できる。
【図面の簡単な説明】
【００７４】
【図１】本発明の実施の形態１における浴室換気空調装置の居住空間への設置例を示す見取り図
【図２】同浴室換気空調装置の概略構成図
【図３】本発明の実施の形態２における浴室換気空調装置の概略構成図
【図４】本発明の実施の形態３における浴室換気空調装置の概略構成図
【符号の説明】
【００７５】
３    浴室
４    脱衣室
５    トイレ
６    本体部分
７    送風機部分
８    第一排気口
１０  第二排気口
１５  第一送風機
１６  第二送風機
２１  第一吸込口
２２  吸込側循環風路
２３  本体吹出口
２４  吹出側循環風路
２５  他室吸込口
２６  換気風路
２７  圧縮機
２８  第一熱交換器
２９  膨張機構
３０  第二熱交換器
３１  第一吹出口
３２  第二吹出口
３３  第三吹出口
３４  第一吹出口開閉手段
３５  吹出口切換手段Ａ
３６  吹出口切換手段Ｂ
３７  第二吸込口
３８  第二吸込口開閉手段
３９  他室吸込口開閉手段
４０  除湿風路
４１  除湿切換手段
４２  ２４時間換気吸込口
４３  ２４時間換気風路
４４  ２４時間換気風路開閉手段
４５  換気風路切換手段
【図１】
2010101590.tif 000003
【図２】
2010101590.tif 000004
【図３】
2010101590.tif 000005
【図４】
2010101590.tif 000006